(57)【要約】      （修正有）【課題】使用する用紙の性質に応じて、用紙ジャムの発生を抑制する工夫がなされた画像形成装置を提供する。【解決手段】１ページ単位で折り畳まれた連続用紙が広げられて所定の経路にそって搬送され、搬送中の連続用紙上に画像を形成して、画像形成後の画像を所定の排出口から排出して排紙収容台上に１ページ単位で折り畳んだ状態に収容する画像形成装置において、排出口外側に取り付け角度自在に取り付けられ、排出口から排出される連続用紙を案内する案内板１６１と、収容される連続用紙の折り畳みの稜線どうしを結ぶ方向の位置の調整が自在な排紙収容台１６２とのうちの少なくともいずれか一方を備えた。【選択図】図２
2005162410.tif 000002
【特許請求の範囲】
【請求項１】
１ページ単位で折り畳まれた連続用紙が広げられて所定の経路にそって搬送され、搬送中の連続用紙上に画像を形成して、画像形成後の該連続用紙を所定の排出口から排出して排紙収容台上に１ページ単位で折り畳んだ状態に収容する画像形成装置において、
前記排出口外側に取り付け角度自在に取り付けられ、該排出口から排出される連続用紙を案内する案内板を備えたことを特徴とする画像形成装置。
【請求項２】
前記案内板が、前記排出口外側に該排出口を挟んで取り付けられた一対のものであることを特徴とする請求項１記載の画像形成装置。
【請求項３】
１ページ単位で折り畳まれた連続用紙が広げられて所定の経路にそって搬送され、搬送中の連続用紙上に画像を形成して、画像形成後の画像を所定の排出口から排出して排紙収容台上に１ページ単位で折り畳んだ状態に収容する画像形成装置において、
前記排紙収容台が、該排紙収容台上に収容される連続用紙の折り畳みの稜線どうしを結ぶ方向の位置の調整が自在なものであることを特徴とする画像形成装置。
【発明の詳細な説明】
【技術分野】
【０００１】
本発明は、１ページ単位で折り畳まれた連続用紙が広げられて所定の経路にそって搬送され、搬送中の連続用紙上に画像を形成して、画像形成後の画像を所定の排出口から排出して排紙収容台上に１ページ単位で折り畳むんだ状態に収容する画像形成装置に関する。
【背景技術】
【０００２】
従来より、１ページ単位で折り畳まれた連続用紙が広げられて所定の経路にそって搬送され、搬送中の連続用紙上に画像を形成して、画像形成後の画像を所定の排出口から排出して排紙収容台上に１ページ単位で折り畳むんだ状態に収容する、プリンタなどの画像形成装置が知られている。
【０００３】
このように、１ページ単位で折り畳まれた連続用紙上に画像を形成する画像形成装置で問題となるのは、画像形成が終了した連続用紙を、いかに用紙ジャムを発生させずに再び折り畳んで排紙収容台上に収容するかという点にあり、これについては様々な提案がなされている（例えば、特許文献１参照）。
【０００４】
特許文献１では、用紙ジャムを誘発する、折り返し部分の盛り上がりを抑えるために、排紙収容台の形状に工夫がなされている。
【特許文献１】実開平５−２４６５５号公報
【発明の開示】
【発明が解決しようとする課題】
【０００５】
しかし、上記提案では、使用する用紙の性質によって効果がある場合とない場合とが出てくるおそれがある。
【０００６】
本発明は、上記事情に鑑み、使用する用紙の性質に応じて、用紙ジャムの発生を抑制する工夫がなされた画像形成装置を提供することを目的とする。
【課題を解決するための手段】
【０００７】
上記目的を達成するための本発明の画像形成装置のうちの第１の画像形成装置は、
１ページ単位で折り畳まれた連続用紙が広げられて所定の経路にそって搬送され、搬送中の連続用紙上に画像を形成して、画像形成後の画像を所定の排出口から排出して排紙収容台上に１ページ単位で折り畳んだ状態に収容する画像形成装置において、
上記排出口外側に取り付け角度自在に取り付けられ、該排出口から排出される連続用紙を案内する案内板を備えたことを特徴とする。
【０００８】
本発明の第１の画像形成装置では、案内板が排出口外側に角度自在に取り付け可能となっているため、この排出口から排出される記録用紙の排出方向を制御することができる。したがって、第１の画像形成装置によれば、使用する用紙の性質に応じてこの案内板の取り付け角度を制御することで、用紙ジャムが起こり難い方向に記録用紙を向かわせることができる。
【０００９】
また、上記案内板が、上記排出口外側に該排出口を挟んで取り付けられた一対のものであってもよい。
【００１０】
上記目的を達成するための本発明の画像形成装置のうちの第２の画像形成装置は、
１ページ単位で折り畳まれた連続用紙が広げられて所定の経路にそって搬送され、搬送中の連続用紙上に画像を形成して、画像形成後の画像を所定の排出口から排出して排紙収容台上に１ページ単位で折り畳んだ状態に収容する画像形成装置において、
上記排紙収容台が、該排紙収容台上に収容される連続用紙の折り畳みの稜線どうしを結ぶ方向の位置の調整が自在なものであることを特徴とする。
【００１１】
本発明の第２の画像形成装置では、排紙収容台の、排紙収容台上に収容される連続用紙の折り畳みの稜線どうしを結ぶ方向の位置の調整が自在になっているため、排出口から排出されてくる記録用紙の、排紙用紙台上での畳まれかたを制御することができる。したがって、第２の画像形成装置によれば、使用する用紙の性質に応じて排紙収容台の上記方向への位置を制御することで、用紙ジャムが起こり難いように記録用紙を畳むことができる。
【発明の効果】
【００１２】
本発明の画像形成装置によれば、使用する用紙の性質に応じて、用紙ジャムの発生を抑制することができる。
【発明を実施するための最良の形態】
【００１３】
以下、本発明の画像形成装置の実施形態について説明する。
【００１４】
図１は、本発明の、第１の画像形成装置および第２の画像形成装置の共通の一実施形態の概略構成図である。
【００１５】
図１に示すプリンタ１は、幅方向のミシン目によってページが区切られた、搬送用のスプロケット孔が両端に設けられた連続用紙１００に印画を行うレーザプリンタである。
【００１６】
このプリンタ１は、図示しないパソコンなどから送信されてきた画像データを処理する画像データ処理部１１、連続用紙１００が取り付けられ、この連続用紙の紙送りを行なうトラクタ１４、トラクタ１４に取り付けられた連続用紙上に印画を行なう印画機構部１２、連続用紙上への印画を定着させる定着部１５、定着がなされた連続用紙を折りたたんでストックするストッカ部１６、および、これら各部を収容する、底部にストッパ１０ａが備えられた筐体１０で構成されている。
【００１７】
図１に示される印画機構部１２には、感光体１２３、帯電器１２２、転写器１２４、および現像器１２１が代表的に示されており、ここでは、帯電器１２２により所定の電荷が付与された感光体上にレーザ光による露光によって静電潜像が形成され、この静電潜像が現像器１２１によってトナー現像される。その後、この感光体上に顕在化されたトナー像は、転写器１２４によって連続用紙上に印画される。トナー像が印画された連続用紙１００は、定着部１５に搬送されて定着が行なわれる。
【００１８】
図１に示すトラクタ１４では、左右両端に設けられたスプロケット孔に不図示の循環ベルトに備えられたスプロケットが嵌め込まれ、この記録用紙の搬送が可能となっている。
【００１９】
図１に示す定着部１５には、キセノンランプを備えた定着器１５１および排出ローラ１５２が代表的に示されている。
【００２０】
定着部１５における定着を終えた連続用紙１００は、排紙ガイド１６１を通過してストック部１６にストックされる。
【００２１】
図１に示すストック部１６には、排紙ガイド１６１を通過して送られてくる連続用紙が再び折り畳まれる排紙収容台１６２が備えられている。
【００２２】
図２は、図１に示すストッカ部に備えられた、排紙ガイドおよび排紙収容台の外観斜視図である。
【００２３】
図２の上段側に示される排紙ガイド１６１は、メインガイド１６１ａ、フラップガイド１６１ｂ、アーム板１６１ｄ、ヒンジ１６１ｃ、および蝶ネジ１６１ｅで構成されている。フラップガイド１６１ｂは、ヒンジ１６１ｃによってメインガイドの開口１６０を挟んで向かい合うようにメインガイド１６１ａに取り付けられている。また、アーム板１６１ｄには、両端付近に長孔１６１１ｄがそれぞれ設けられている。このアーム板１６１ｄは、一方の端部が２枚重ねられた状態で長孔１６１１ｄを貫通する蝶ネジ１６１ｅが締め込まれることで、メインガイド１６１ａの向かい合う側面１６１１ａにそれぞれ固定されるようになっている。
【００２４】
このように、このプリンタ１では、フラップガイド１６１ｂの、メインガイド１６１ａの開口１６０に対する角度を自在に調整できるようになっている。
【００２５】
また、図２の下段側に示される排紙収容台１６２は、スライダ１６２ａおよびレール１６２ｂで構成されており、スライダ１６２ａは、車輪１６２１ａおよび蝶ネジ１６２２ａを備えている。
【００２６】
レール１６２ｂは、図１に示す筐体１０に固定されており、スライダ１６２ａは、スライダ１６２ａに備えられた蝶ネジ１６２２ａを緩めることでこのレール１６２ｂ上を矢印Ａ方向、すなわち連続用紙の折り畳みの稜線どうしを結ぶ方向にスライド移動できるようになっている。また、スライダ１６２ａに備えられた蝶ネジ１６２２ａを締め込むことで、スライダ１６２ａはレール１６２ｂに固定される。
【００２７】
以上説明したように、このプリンタ１によれば、メインガイド１６１ａの開口１６０に対するフラップガイド１６１ｂの角度、およびメインガイド１６１ａの開口１６０に対するスライダ１６２ａの位置を自在に変更することができるようになっているため、排出口１６０から排出される記録用紙１００の排出方向、および排出口から排出されてくる記録用紙の、排紙用紙台上での畳まれかたを制御することができるため、従来に比べ用紙ジャムを起こし難くすることができる。
【００２８】
尚、上記実施形態では、メインガイド１６１ａの開口１６０に取り付け角度自在のフラップガイド１６１ｂとしてこの開口１６０を挟む一対のものを例に挙げて説明したが、排出されてくる連続用紙の排出方向を制御できるものであればよく、また、メインガイド１６１ａの開口１６０に取り付け角度自在のフラップガイド１６１ｂと、メインガイド１６１ａの開口１６０に対する位置が自在に設定できるスライダ１６２ａとの双方を備えた場合を例に挙げて説明したが、これら２つの機構のうちいずれか一方のみを備えるものであってもよい。
【図面の簡単な説明】
【００２９】
【図１】本発明の、第１の画像形成装置および第２の画像形成装置の共通の一実施形態の概略構成図である。
【図２】図１に示すストッカ部に備えられた、排紙ガイドおよび排紙収容台の外観斜視図である。
【符号の説明】
【００３０】
１  プリンタ
１０  筐体
１０ａ  ストッパ
１１  画像データ処理部
１２  印画機構部
１２１  現像器
１２２  帯電器
１２３  感光体
１２４  転写器
１４  トラクタ
１５  定着部
１５１  定着器
１５２  排出ローラ
１６  ストッカ部
１６１  排紙ガイド
１６１ａ  メインガイド
１６１１ａ、１６１１ｂ  側面
１６１ｂ  フラップガイド
１６１ｃ  ヒンジ
１６１ｄ  アーム板
１６１１ｄ  長孔
１６１ｅ  蝶ネジ
１６２  排紙収容台
１６２ａ  スライダ
１６２１ａ  車輪
１６２２ａ  蝶ネジ
１６２ｂ  レール
１００  連続用紙
【図１】
2005162410.tif 000003
【図２】
2005162410.tif 000004